(57)【特許請求の範囲】
【請求項１】
冷媒ガス空間を有する密閉ケーシングと、前記密閉ケーシング内に収納されたシリンダと、固定子及び可動子とから構成されたモーターと、前記モーターの可動子などにより構成された可動要素と、前記シリンダや前記モーターの固定子などにより構成された固定要素と、一部が前記可動要素に固定され、一部が前記固定要素に固定された弾性要素と、前記可動要素と軸方向に連結され前記可動要素に対して半径方向に可動可能で且つ回転可能なピストンとからなる振動式圧縮機。
【請求項２】
冷媒ガス空間を有する密閉ケーシングと、前記密閉ケーシング内に収納され内周部に曲率を有したブロックと、固定子及び可動子とから構成されたモーターと、前記モーターの可動子が連結されたピストンと、前記モーターの可動子や前記ピストンなどにより構成された可動要素と、前記モーターの固定子や前記ブロックなどにより構成された固定要素と、一部が前記可動要素に固定され、一部が前記固定要素に固定された弾性要素と、外周部に前記ブロックと同じ又は僅かに大きい曲率を有し、前記ブロックに嵌められ内周部が前記ピストンと摺動可能な摺動シリンダとからなる振動式圧縮機。
【請求項３】
冷媒ガス空間を有する密閉ケーシングと、前記密閉ケーシング内に収納されたシリンダと、固定子及び可動子とから構成されたモーターと、前記シリンダ内に嵌められ前記モーターの可動子が連結されたピストンと、前記モーターの可動子や前記ピストンなどにより構成された可動要素と、前記モーターの固定子や前記シリンダなどにより構成された固定要素と、一部が前記可動要素に固定され、一部が半径方向に隙間を有して前記固定要素と軸方向に連結された弾性要素とからなり、前記隙間により前記固定要素に対して前記弾性要素が回転したり半径方向に可動可能である振動式圧縮機。
【請求項４】
冷媒ガス空間を有する密閉ケーシングと、前記密閉ケーシング内に収納されたシリンダと、固定子及び可動子とから構成されたモーターと、前記シリンダ内に嵌められたピストンと、前記モーターの可動子や前記ピストンなどにより構成された可動要素と、前記モーターの固定子や前記シリンダなどにより構成された固定要素と、一部に曲率を有する弾性要素とからなり、前記弾性要素は前記弾性要素と同じ又は僅かに大きい曲率を有する可動要素に嵌められ、一部が半径方向に隙間を有して前記固定要素と軸方向に連結された振動式圧縮機。
【発明の詳細な説明】
【０００１】
【発明の属する技術分野】
本発明は、冷蔵庫，エアーコンディショナー等に使用される振動式圧縮機に関する。
【０００２】
【従来の技術】
従来の振動式圧縮機としては、特開平０４−２９８６８９号公報や、特開平４−３４７４６０号公報に記載されているものがある。以下図面を参照しながら上記従来の振動式圧縮機に説明する。
【０００３】
図７は従来の振動式圧縮機であり、図８は図７のＡ−Ａ線要部断面図である。図７，図８において、１は密閉ケーシング、２は本体である。モーター３は、固定子３ａと可動子３ｂとから構成されており、可動子３ｂはピストン５に固定されている。本体２はモーター３の可動子３ｂ，ピストン５などから構成される可動要素１２と、シリンダ４，モーター３の固定子３ａ，ブロック６などから構成される固定要素１３とから構成されており、サスペンションスプリング（図示せず）により、密閉ケーシング１内に弾性支持されている。１１は潤滑油であり、密閉ケーシング１の下部に溜められている。
【０００４】
弾性要素８は、複数の弾性体８ａを積み重ねて構成されており、弾性要素８の内周部８ｂがピストン５に固定され、弾性要素８の外周部８ｃがブロック６に固定されている。また、各弾性体８ａの内周部８ｂと外周部８ｃには、それぞれスペーサー８ｄ，８ｅが挟み込まれており、各弾性体８ａの間に一定の隙間を保持している。
【０００５】
また、弾性体８ａは複数のらせん状のスリット８ｓを有しており、そのため弾性要素、例えばバネとして機能する。
【０００６】
また、シリンダ４と弾性要素８は、ピストン５が軸方向に可動可能なようにピストン５を支持している。９はシリンダ４とピストン５から構成される圧縮室である。
【０００７】
次に振動式圧縮機の機構について説明する。交流電源を半波整流し、固定子３ａに通電することにより、ピストン５に固定された可動子３ｂの固定子３ａの磁極の方向に磁気可変抵抗原理により吸引される。そして吸引時に、可動子３ｂとブロック６間に配設された弾性要素８に蓄えられた弾性力により逆方向に押され、この繰り返しによりピストン５は軸方向の往復運動を行う。
【０００８】
冷却システム（図示せず）からの冷媒ガスは、シリンダヘッド７内に配設された吸入弁（図示せず）を介してシリンダヘッド７の低圧室７ａに導かれ、シリンダ４内の圧縮室９に至る。圧縮室９に至った冷媒ガスは、上述したピストン５の往復運動により圧縮される。
【０００９】
圧縮された冷媒ガスは、シリンダヘッド７内に配設された吐出弁（図示せず）を介して一旦シリンダヘッド７内の高圧室７ｂに吐出された後、システムに吐出される。
【００１０】
また、弾性体８ａの内周部８ｂが図８の紙面に対して垂直方向上方及び下方に変位したときに、弾性体８ａの内周部８ｂは図８中に示した矢印の方向に回転する。従って、弾性体８ａの内周部８ｂと固定されたピストン５も弾性体８ａの変位と共に回転することとなり、ピストン５は回転しながら往復運動する。
【００１１】
【発明が解決しようとする課題】
しかしながら上記従来の構成では、シリンダ４，ピストン５，弾性要素８の軸心がずれて加工・組立された時には、ピストン５とシリンダ４の摺動部において、局所的な摺動やこじりが発生し、摺動損失の増大による圧縮機の効率低下や、摺動部の摩耗といった信頼性低下の可能性があった。
【００１２】
また、ピストン５が固定された弾性体８ａの内周部８ｂにおいて、弾性体８ａの半径方向の過大な変形が引き起こされ、弾性体８ａに過大な応力が発生し、弾性体８ａの疲労や破壊といった信頼性低下の可能性があった。
【００１３】
さらに、ピストン５とシリンダ４の摺動部において、弾性要素８が変位する際に生じるピストン５の周方向の回転により、回転に伴う摺動損失が増大し、摺動部の摩耗といった信頼性低下の可能性があった。
【００１４】
また、上記の可能性を回避するために、部品の加工精度や組立精度を向上させると、部品や圧縮機のコストが高くなる可能性があった。
【００１５】
本発明は、従来の課題を解決するもので、シリンダ，ピストン，弾性要素の軸心がずれて加工・組立されても、ピストンとシリンダの摺動部における局所的な摺動やこじりの発生を防止し、摺動損失の増大による圧縮機の効率低下や、摺動部の摩耗といった信頼性の低下を防止する。
【００１６】
また、ピストンが固定された弾性体の半径方向の過大な変形を防止し、弾性体に座屈やねじれによる過大な応力が発生することを防止することにより、弾性体の疲労や破壊といった信頼性の低下を防止する。
【００１７】
また、ピストンとシリンダ間の回転方向の相対速度を低減することにより摺動損失を低減し、圧縮機の効率向上を図る。
【００１８】
また、上記従来の構成では、シリンダ４，ピストン５，弾性要素８が傾いて加工・組み立てられたときや、可動要素１２の一部が潤滑油１１に浸り往復運動する際に潤滑油１１から効力を受ける際には、ピストン５とシリンダ４の摺動部において、局所的な摺動やこじりが発生し、摺動損失の増大による圧縮機の効率低下や、摺動部の摩耗といった信頼性の低下の可能性があった。
【００１９】
また、ピストン５が固定された弾性要素８が軸方向に対して傾いて変形するために、弾性体８ａに過大な応力が発生し、弾性体８ａの疲労や破壊といった信頼性低下の可能性があった。
【００２０】
本発明は、従来の課題を解決するもので、シリンダ，ピストン，弾性要素が傾いて加工・組み立てられたときや、可動要素の一部が潤滑油に浸り往復運動する際に潤滑油から抵抗を受けた時において、ピストンとシリンダの摺動部における局所的な摺動やこじりの発生を防止し、摺動損失の増大による圧縮機の効率低下や、摺動部の摩耗といった信頼性低下を防止する。
【００２１】
また、ピストンが固定された弾性体が軸方向に対して傾いて変形することを防止し、弾性体に過大な応力が発生することを防止することにより、弾性体の疲労や破壊といった信頼性低下を防止する。
【００２２】
また、上記従来の構成では、弾性要素８が軸方向に変位する際に、それに伴って弾性体８ａの内周部８ｂ及びピストン５を含む可動要素１２の回転方向が変わる。そのため、回転方向が変わる際に可動要素１２の回転による慣性力により弾性体８ａに回転に伴う過大な変形が生じるため、弾性体８ａに過大な応力が発生し、弾性体８ａの疲労や破壊といった信頼性低下の可能性があった。
【００２３】
本発明は、従来の課題を解決するもので、往復運動に伴って可動要素の回転方向が変わる際に、可動要素による回転の慣性力が働いても、弾性体が回転に伴なって過大に変形することを防止し、弾性体に課題な応力が発生することを防止することにより、弾性要素の疲労や破壊といった信頼性低下を防止する。
【００２４】
また、上記従来の構成では、弾性要素８が軸方向に変位し、それに伴って弾性体８ａの内周部８ｂ及びピストン５を含む可動要素１２が方向を変えながら回転する。その回転力は、弾性体８ａを介してブロック６等の固定要素１３に伝達されるため、固定要素１３，本体２及び圧縮機の回転振動が増大する可能性があった。
【００２５】
本発明は、従来の課題を解決するもので、弾性要素が軸方向に変位しつつ内周部が回転しても、ピストンやモーターの可動子などの可動要素及びブロックなどの固定要素への回転力の伝達を低減することにより、固定要素，本体及び圧縮機の回転振動を低減する。
【００２６】
【課題を解決するための手段】
この目的を達成するため本発明の振動式圧縮機は、冷媒ガス空間を有する密閉ケーシングと、密閉ケーシング内に収納されたシリンダと、固定子及び可動子とから構成されたモーターと、モーターの可動子などにより構成された可動要素と、シリンダやモーターの固定子などにより構成された固定要素と、一部が可動要素に固定され、一部が固定要素に固定された弾性要素と、可動要素と軸方向に連結され弾性要素に対して半径方向に可動可能で且つ回転可能なピストンとから構成されている。
【００２７】
これにより、シリンダ，ピストン，弾性要素の軸心がずれて加工・組立されても、ピストンとシリンダの摺動部における局所的な摺動やこじりの発生を防止し、摺動損失の増大による圧縮機の効率低下や、摺動部の摩耗といった信頼性の低下を防止する。
【００２８】
また、ピストンが固定された弾性体の半径方向の過大な変形を防止し、弾性体に座屈やねじれによる過大な応力が発生することを防止することにより、弾性体の疲労や破壊といった信頼性の低下を防止する。
【００２９】
また、ピストンとシリンダ間の回転方向の相対速度を低減することにより摺動損失を低減し、圧縮機の効率向上を図る。
【００３０】
また、冷媒ガス空間を有する密閉ケーシングと、密閉ケーシング内に収納され内周部に曲率を有したブロックと、固定子及び可動子とから構成されたモーターと、モーターの可動子が連結されたピストンと、モーターの可動子やピストンなどにより構成された可動要素と、モーターの固定子やブロックなどにより構成された固定要素と、一部が可動要素に固定され、一部が固定要素に固定された弾性要素と、外周部にブロックと同じ又は僅かに大きい曲率を有し、ブロックに嵌められ内周部がピストンと摺動可能な揺動シリンダとから構成されている。
【００３１】
これにより、シリンダ，ピストン，弾性要素が傾いて加工・組み立てられたときや、可動要素の一部が潤滑油に浸り往復運動する際に潤滑油から抵抗を受けた時において、ピストンとシリンダの摺動部における局所的な摺動やこじりの発生を防止し、摺動損失の増大による圧縮機の効率低下や、摺動部の摩耗といった信頼性低下を防止する。
【００３２】
また、ピストンが固定された弾性体の軸方向に対して傾いて変形することを防止し、弾性体に過大な応力が発生することを防止することにより、弾性体の疲労や破壊といった信頼性低下を防止する。
【００３３】
また、冷媒ガス空間を有する密閉ケーシングと、密閉ケーシング内に収納されたシリンダと、固定子及び可動子とから構成されたモーターと、シリンダ内に嵌められモーターの可動子が連結されたピストンと、モーターの可動子やピストンなどにより構成された可動要素と、モーターの固定子やシリンダなどにより構成された固定要素と、一部が可動要素に固定され、一部が半径方向に隙間を有して固定要素と軸方向に連結された弾性要素とからなり、隙間により固定要素に対して弾性要素が回転したり半径方向に可動可能に構成されている。
【００３４】
これにより、往復運動に伴って可動要素の回転方向が変わる際に、可動要素による回転の慣性力が働いても、弾性体が回転に伴なって過大に変形することを防止し、弾性体に過大な応力が発生することを防止することにより、弾性要素の疲労や破壊といった信頼性低下を防止する。
【００３５】
また、冷媒ガス空間を有する密閉ケーシングと、密閉ケーシング内に収納されたシリンダと、固定子及び可動子とから構成されたモーターと、シリンダ内に嵌められたピストンと、モーターの可動子やピストンなどにより構成された可動要素と、モーターの固定子やシリンダなどにより構成された固定要素と、一部に曲率を有する弾性要素とからなり、弾性要素は弾性要素と同じ又は僅かに大きい曲率を有する可動要素に嵌められ、一部が半径方向に隙間を有して固定要素と軸方向に連結された構成となっている。
【００３６】
これにより、弾性要素が軸方向に変位しつつ内周部が回転しても、ピストンやモーターの可動子などの可動要素及びブロックなどの固定要素への回転力の伝達を低減することにより、固定要素，本体及び圧縮機の回転振動を低減する。
【００３７】
【発明の実施の形態】
本発明の請求項１に記載の発明は、冷媒ガス空間を有する密閉ケーシングと、密閉ケーシング内に収納されたシリンダと、固定子及び可動子とから構成されたモーターと、モーターの可動子などにより構成された可動要素と、シリンダやモーターの固定子などにより構成された固定要素と、一部が可動要素に固定され、一部が固定要素に固定された弾性要素と、可動要素と軸方向に連結され可動要素に対して半径方向に可動可能で且つ回転可能なピストンを備えたものであり、シリンダ，ピストン，弾性要素の軸心がずれて加工・組立されても、ピストンとシリンダの摺動部における局所的な摺動やこじりの発生を防止し、摺動損失の増大による圧縮機の効率低下や、摺動部の摩耗といった信頼性の低下を防止するという作用を有する。
【００３８】
また、ピストンが固定された弾性体の半径方向の過大な変形を防止し、弾性体に座屈やねじれによる過大な応力が発生することを防止することにより、弾性体の疲労や破壊といった信頼性の低下を防止するという作用を有する。
【００３９】
また、ピストンとシリンダ間の回転方向の相対速度を低減することにより摺動損失を低減し、圧縮機の効率向上を図るという作用を有する。
【００４０】
請求項２記載の発明は、密閉ケーシングと、密閉ケーシング内に収納され内周部に曲率を有したブロックと、固定子及び可動子とから構成されたモーターと、モーターの可動子が連結されたピストンと、モーターの可動子やピストンなどにより構成された可動要素と、モーターの固定子やブロックなどにより構成された固定要素と、一部が可動要素に固定され、一部が固定要素に固定された弾性要素と、外周部にブロックと同じ又は僅かに大きい曲率を有し、ブロックに嵌められ内周部がピストンと摺動可能な摺動シリンダを備えたものであり、シリンダ，ピストン，弾性要素が傾いて加工・組み立てられたときや、可動要素の一部が潤滑油に浸り往復運動する際に潤滑油から抵抗を受けた時において、ピストンとシリンダの摺動部における局所的な摺動やこじりの発生を防止し、摺動損失の増大による圧縮機の効率低下や、摺動部の摩耗といった信頼性低下を防止するという作用を有する。
【００４１】
また、ピストンが固定された弾性体の軸方向に対して傾いて変形することを防止し、弾性体に過大な応力が発生することを防止することにより、弾性体の疲労や破壊といった信頼性低下を防止するという作用を有する。
【００４２】
請求項３記載の発明は、密閉ケーシングと、密閉ケーシング内に収納されたシリンダと、固定子及び可動子とから構成されたモーターと、シリンダ内に嵌められモーターの可動子が連結されたピストンと、モーターの可動子やピストンなどにより構成された可動要素と、モーターの固定子やシリンダなどにより構成された固定要素と、一部が可動要素に固定され、一部が半径方向に隙間を有して固定要素と軸方向に連結された弾性要素を備え、隙間により固定要素に対して弾性要素が回転したり半径方向に可動可能なものであり、往復運動に伴って可動要素の回転方向が変わる際に、可動要素による回転の慣性力が働いても、弾性体が回転に伴なって過大に変形することを防止し、弾性体に過大な応力が発生することを防止することにより、弾性要素の疲労や破壊といった信頼性低下を防止するという作用を有する。
【００４３】
請求項４記載の発明は、冷媒ガス空間を有する密閉ケーシングと、密閉ケーシング内に収納されたシリンダと、固定子及び可動子とから構成されたモーターと、シリンダ内に嵌められたピストンと、モーターの可動子やピストンなどにより構成された可動要素と、モーターの固定子やシリンダなどにより構成された固定要素と、内周部に曲率を有する弾性要素とからなり、弾性要素は弾性要素と同じ又は僅かに大きい曲率を有する可動要素に嵌められ、外周部が固定要素に固定されたものを備えたものであり、弾性要素が軸方向に変位しつつ内周部が回転しても、ピストンやモーターの可動子などの可動要素及びブロックなどの固定要素への回転力の伝達を低減することにより、固定要素，本体及び圧縮機の回転振動を低減する。
【００４４】
以下、本発明の実施の形態について、図１から図６を用いて説明する。尚、従来と同一構成については、同一符号を付して詳細な説明を省略する。
【００４５】
（実施の形態１）
本発明の実施の形態１について説明する。図１は本発明の第１の実施例による振動式圧縮機の縦断面図であり、図２は図１の要部拡大図である。
【００４６】
図１，図２において、１４はシャフトであり、ピストン１５の凸部１５ａにより軸方向に連結されており、また弾性要素８の内周部８ｂと固定されている。また、ピストン１５の凸部１５ａ及び凹部１５ｂは、シャフト１４に対して半径方向に隙間を備えている。
【００４７】
以上のように構成された振動式圧縮機について、以下その動作を説明する。
圧縮機運転中において、可動子３ｂに発生した推力は、シャフト１４，ピストン１５に伝えられる。
【００４８】
この時、ピストン１５はシリンダ４内に嵌められ、またピストン１５の凸部１５ａ及び凹部１５ｂは、シャフト１４に対して半径方向に隙間を備えているため、ピストン１５はシリンダ４との軸芯が一致するように半径方向に可動する。そして、その状態のままピストン１５はシリンダ４内を往復運動を繰り返しながら冷媒ガスを吸入・圧縮する。
【００４９】
従って、シリンダ４，ピストン１５，弾性要素８の軸心がずれて加工・組立されても、ピストン１５とシリンダ４の摺動部における局所的な摺動やこじりの発生を防止し、摺動損失の増大による圧縮機の効率低下や、摺動部の摩耗といった信頼性の低下を防止することができる。
【００５０】
さらに、弾性要素８は常にシャフト１４の軸方向に変位するため、半径方向に過大に変形することもない。そのため、弾性要素８が半径方向に過大に変形することを防止し、弾性要素８に過大な応力が発生することを防止することにより、弾性要素８の疲労や破壊といった信頼性低下を防止することができる。
【００５１】
また、弾性体８ａの内周部８ｂは、軸方向変位に伴って回転を行うため、弾性要素８を介してシャフト１４も回転する。
【００５２】
この時、ピストン１５もシャフト１４と同方向に回転しようとするが、ピストン１５はシャフト１４に対して回転可能であるため、ピストン１５とシリンダ４間の回転方向の相対速度は、シャフト１４とシリンダ間の回転方向の相対速度よりも小さくなる。
【００５３】
従って、ピストン１５がシリンダ４内を往復摺動する際に、弾性要素８が回転しシャフト１４が回転しても、ピストン１５とシリンダ４間の回転方向の相対速度を低減できるため、ピストン５の回転に伴う摺動損失を低減できると共に、摺動部の摩耗といった信頼性の低下を防止することができる。
【００５４】
以上のように、冷媒ガス空間を有する密閉ケーシングと、密閉ケーシング内に収納されたシリンダと、固定子及び可動子とから構成されたモーターと、モーターの可動子などにより構成された可動要素と、シリンダやモーターの固定子などにより構成された固定要素と、一部が可動要素に固定され、一部が固定要素に固定された弾性要素と、可動要素と軸方向に連結され可動要素に対して半径方向に可動可能で且つ回転可能なピストンを備えたものであり、シリンダ，ピストン，弾性要素の軸心がずれて加工・組立されても、ピストンとシリンダの摺動部における局所的な摺動やこじりの発生を防止し、摺動損失の増大による圧縮機の効率低下や、摺動部の摩耗といった信頼性の低下を防止することができる。
【００５５】
また、ピストンが固定された弾性体の半径方向の過大な変形を防止し、弾性体に座屈やねじれによる過大な応力が発生することを防止することにより、弾性体の疲労や破壊といった信頼性の低下を防止することができる。
【００５６】
また、ピストンとシリンダ間の回転方向の相対速度を低減することにより摺動損失を低減し、圧縮機の効率を向上させることができる。
【００５７】
尚、本実施例においては、弾性要素８をシャフト１４とブロック６に固定しているが、他の可動要素１２，固定要素１３に固定しても同様の効果が得られることは言うまでもない。
【００５８】
（実施の形態２）
図３は本発明の第２の実施例による振動式圧縮機の縦断面図であり、図４は図３の要部拡大図である。
【００５９】
図３，図４において、１６は揺動シリンダであり、外周部に曲率部１６ａを備えており、内周部１６ｂにおいてピストン５が軸方向に摺動可能である。６はブロックであり、内周部に揺動シリンダ１６の曲率部１６ａと同じまたは僅かに大きい曲率部６ａを備えている。そして、揺動シリンダ１６の曲率部１６ａは、ブロック６の曲率部６ａに嵌められている。
【００６０】
以上のように構成された振動式圧縮機において、以下その動作を説明する。
揺動シリンダ１６は、その外周部の曲率部１６ａがブロック６の内周の曲率部６ａに嵌められているため、曲率部１６ａ，６ａの中心を原点として、ブロック６に対して傾くことができる。また、ピストン５は揺動シリンダ１６の内周部１６ｂに嵌められているため、揺動シリンダ１６と同様にピストン５も傾くことができる。
【００６１】
弾性要素８が固定されたピストン５がブロック６に対して傾いて加工・組立てられて運転されたときや、圧縮機の運転時においてピストン５がブロック６に対して傾いて摺動する力が作用したときにおいて、ピストン５に対して傾かないように、揺動シリンダ１６の曲率部１６ａがブロック６の曲率部６ａの曲率に沿って回転する。
【００６２】
圧縮機の運転中に、ピストン５が揺動シリンダ１６に対して傾いて摺動する力が作用する可能性がある場合として、例えば可動要素１２や弾性要素８などの一部が潤滑油１１中に浸り、往復動する際に潤滑油から抵抗を受ける場合などが考えられる。
【００６３】
その為、ピストン５，ブロック１６が相対的に傾斜するように加工・組み立てられたり、何らかの要因により圧縮機の運転中において、ブロック６に対してピストン５が傾斜しても、揺動シリンダ１６に対してピストン５は常に傾斜することなく摺動する。
【００６４】
従って、ピストン５と揺動シリンダ１６の摺動部における局所的な摺動やこじりの発生を防止できると共に、摺動損失の増大による圧縮機の効率低下や、摺動部の摩耗といった信頼性低下を防止することができる。
【００６５】
また逆に、ピストン５がブロック６に対して傾かずに摺動しようとすると、ピストン５に固定された弾性要素８が軸方向に対して傾いた変形をしようとする。
【００６６】
しかしその時も上述した通り、揺動シリンダ１６がブロック６に対して傾くことができるためピストン５もブロック６に対して傾くことができ、ブロック６に一部が固定された弾性要素８が軸方向に対して傾いた変形をすることはない。その為、弾性要素８の疲労や破損といった信頼性の低下を防止することができる。
【００６７】
以上のように、密閉ケーシングと、密閉ケーシング内に収納され内周部に曲率を有したブロックと、固定子及び可動子とから構成されたモーターと、モーターの可動子が連結されたピストンと、モーターの可動子やピストンなどにより構成された可動要素と、モーターの固定子やブロックなどにより構成された固定要素と、一部が可動要素に固定され、一部が固定要素に固定された弾性要素と、外周部にブロックと同じ又は僅かに大きい曲率を有し、ブロックに嵌められ内周部がピストンと摺動可能な揺動シリンダを備えたものであり、シリンダ，ピストン，弾性要素が傾いて加工・組み立てられたときや、可動要素の一部が潤滑油に浸り往復運動する際に潤滑油から抵抗を受けた時において、ピストンとシリンダの摺動部における局所的な摺動やこじりの発生を防止し、摺動損失の増大による圧縮機の効率低下や、摺動部の摩耗といった信頼性低下を防止することができる。
【００６８】
また、ピストンが固定された弾性体の軸方向に対して傾いて変形することを防止し、弾性体に過大な応力が発生することを防止することにより、弾性体の疲労や破壊といった信頼性低下を防止することができる。
【００６９】
（実施の形態３）
図５は本発明の第３の実施例による振動式圧縮機の縦断面図である。
【００７０】
図５において、８は弾性要素であり、弾性体８ａ，スペーサ８ｄ，８ｅ，固定部材８ｇとから構成されており、内周部８ｂがピストン５に固定されている。弾性要素８は、固定部材８ｇにて、ブロック６に対して軸方向に連結され、半径方向には隙間（Ｂ）を備えている。
【００７１】
以上のように構成された振動式圧縮機について、以下その動作を説明する。
圧縮機運転中において、弾性要素８ａの内周部８ｂは、軸方向変位に伴って回転し、その回転方向が変化する。その回転方向が変わる際に、ピストン５やモーター３の可動子３ｂなどの可動要素１２には、その質量，回転速度により常に同じ方向に回転し続けようとする慣性力が作用し、弾性要素８が固定要素１３に固定されていると、弾性要素８の弾性体８ａが必要以上に回転し、回転に伴う変形が生じる。
【００７２】
しかしながら、弾性要素８は固定要素１３であるブロック６に対して軸方向には連結されているものの回転可能であるため、弾性体８ａが必要以上に回転することを防止でき、過大な回転を伴う過大な変形を防止できる。従って、弾性体８ａに過大な応力が発生することを防止でき、弾性要素８の疲労や破壊といった信頼性の低下を防止することができる。
【００７３】
また、圧縮機運転中において、弾性要素８の固定部材８ｇは、ブロック６に対して半径方向に隙間を備えているため、ピストン５及び弾性要素８はシリンダ４との軸芯が一致するように半径方向に可動する。そして、その状態のままピストン５はシリンダ４内を往復運動を繰り返しながら冷媒ガスを吸入・圧縮する。
【００７４】
従って、シリンダ４，ピストン５，弾性要素８の軸心がずれて加工・組立されても、ピストン５とシリンダ４の摺動部における局所的な摺動やこじりの発生を防止し、摺動損失の増大による圧縮機の効率低下や、摺動部の摩耗といった信頼性の低下を防止することができる。
【００７５】
さらに、弾性要素８は軸心がずれることなく常に軸方向に変位するため、半径方向に過大に変形することもない。そのため、弾性要素８が半径方向に過大に変形することを防止し、弾性要素８に過大な応力が発生することを防止することにより、弾性要素８の疲労や破壊といった信頼性低下を防止することができる。
【００７６】
以上のように、密閉ケーシングと、密閉ケーシング内に収納されたシリンダと、固定子及び可動子とから構成されたモーターと、シリンダ内に嵌められモーターの可動子が連結されたピストンと、モーターの可動子やピストンなどにより構成された可動要素と、モーターの固定子やシリンダなどにより構成された固定要素と、一部が可動要素に固定され、一部が半径方向に隙間を有して固定要素と軸方向に連結された弾性要素を備え、隙間により固定要素に対して弾性要素が回転したり半径方向に可動可能なものであり、往復運動に伴って可動要素の回転方向が変わる際に、可動要素による回転の慣性力が働いても、弾性要素が必要以上に回転することを防止でき、過大な回転に伴う弾性要素の過大な変形，過大な応力の発生を防止できるため、弾性要素の信頼性が向上する。
【００７７】
また、シリンダ，ピストン，弾性要素の軸心がずれて加工・組立されても、ピストンとシリンダの摺動部における局所的な摺動やこじりの発生を防止し、摺動損失の増大による圧縮機の効率低下や、摺動部の摩耗といった信頼性の低下を防止することができる。
【００７８】
尚、本実施例では、弾性体８をピストン５とブロック６にそれぞれ固定，連結されているが、他の可動要素１２，固定要素１３にそれぞれ固定，連結しても同様の効果が得られることは言うまでもない。
【００７９】
（実施の形態４）
図６は本発明の第３の実施例による振動式圧縮機の縦断面図である。
【００８０】
図６において、８は弾性要素であり、弾性体８ａ，スペーサ８ｄ，８ｅとから構成されている。８ｆは、弾性要素８の内周部８ｂに設けられた曲率部である。５はピストンであり、弾性要素８の曲率部８ｆと同じまたは僅かに大きい曲率部５ａを備えている。
【００８１】
そして、弾性要素８の曲率部８ｆは、ピストン５の曲率部５ａに嵌められ連結されており、また弾性要素８は、外周部８ｄがブロック６に対して軸方向に連結され、半径方向に隙間（Ｂ）を備えている。
【００８２】
以上のように構成された振動式圧縮機について、以下その動作を説明する。
圧縮機運転中において、弾性要素８ａの内周部８ｂは、軸方向変位に伴って方向が反転しながら常に回転を行う。その際に、弾性要素８を介してピストン５やブロック６も回転しようとするが、弾性要素８の曲率部８ｆとピストン５の曲率部５ａ、そして弾性要素８の外周部８ｄとブロック６とは軸方向に連結されているものの相対的に回転可能であるため、ピストン５やブロック６へは、弾性要素８の回転に伴う回転力があまり伝達されず、ピストン５の回転も小さくなる。
【００８３】
そのため、弾性要素８が軸方向に変位しつつ内周部８ｂが回転しても、ピストン５やモーター３の可動子３ｂなどの可動要素１２，ブロック６などの固定要素１３への回転力の伝達を低減でき、固定要素１３，本体２及び圧縮機の回転振動を低減することができる。さらに、ピストン５とシリンダ４間の回転方向の相対速度を低減できるため、回転に伴う摺動損失を低減できると共に、摺動部の摩耗といった信頼性の低下を防止することができる。
【００８４】
また、モーター３の可動子３ｂ，ピストン５等から構成される可動要素１２の往復運動に伴う回転が低減でき、可動要素による慣性力が低減できるため、弾性体８ａが回転に伴なって過大に変形することを防止し、弾性体８ａに過大な応力が発生することを防止することができるため、弾性要素８の疲労や破壊といった信頼性低下を防止することができる。
【００８５】
さらに、圧縮機運転中において弾性要素８の外周部８ｄは、ブロック６に対して半径方向に隙間を備えているため、ピストン５はシリンダ４との軸芯が一致するように半径方向に可動する。そして、その状態のままピストン５はシリンダ４内を往復運動を繰り返しながら冷媒ガスを吸入・圧縮する。
【００８６】
従って、シリンダ４，ピストン５，弾性要素８の軸心がずれて加工・組立されても、ピストン５とシリンダ４の摺動部における局所的な摺動やこじりの発生を防止し、摺動損失の増大による圧縮機の効率低下や、摺動部の摩耗といった信頼性の低下を防止することができる。また、弾性要素８が半径方向に過大に変形することがないため、弾性要素８に過大な応力が作用することを防止でき、弾性要素８の疲労や破壊といった信頼性の低下を防止することができる。
【００８７】
また、弾性要素８は、その内周部の曲率部８ｆがピストン５の曲率部５ａに嵌められているため、曲率部８ｆ，５ａの中心を原点として傾くことができる。
【００８８】
従って、弾性要素８が固定されたピストン５がシリンダ４に対して傾いて加工・組立されて運転されたときや、圧縮機の運転時においてピストン５がシリンダ４に対して傾いて摺動するように力が作用したときにおいて、シリンダ４に対してピストン５が傾かないようにピストン５の曲率部５ａが弾性要素８の曲率部８ａに沿って回転する。そのためピストン５とシリンダ４の摺動部における局所的な摺動やこじりの発生を防止できると共に、摺動損失の増大による圧縮機の効率低下や、摺動部の摩耗といった信頼性低下を防止することができる。
【００８９】
また逆に、ピストン５が弾性要素８に対して傾かずに摺動しようとすると、ピストン５に固定された弾性要素８が軸方向に対して傾いた変形をしようとする。
【００９０】
しかしその時も上述した通り、ピストン５が弾性要素８に対して傾くことができるため、弾性要素８が軸方向に対して傾いた変形をすることはない。その為、弾性要素８の疲労や破損といった信頼性の低下を防止することができる。
【００９１】
以上のように、冷媒ガス空間を有する密閉ケーシングと、密閉ケーシング内に収納されたシリンダと、固定子及び可動子とから構成されたモーターと、シリンダ内に嵌められたピストンと、モーターの可動子やピストンなどにより構成された可動要素と、モーターの固定子やシリンダなどにより構成された固定要素と、内周部に曲率を有する弾性要素とからなり、弾性要素は弾性要素と同じ又は僅かに大きい曲率を有する可動要素に嵌められ、一部が半径方向に隙間を有して固定要素と軸方向に連結されているため、弾性要素が軸方向に変位しつつ内周が回転しても、可動要素や固定要素への回転力の伝達を低減でき、固定要素，本体及び圧縮機の回転振動を低減することができる。さらに、ピストンの回転を低減することによりシリンダとの摺動損失を低減できると共に、摺動部の摩耗といった信頼性の低下を防止することができる。
【００９２】
また、シリンダ，ピストン，弾性要素の軸心がずれて加工・組立されたり、傾いて加工・組立されたり、運転中においてその軸心がずれたり傾いたりする何らかの力が作用しても、ピストンとシリンダの摺動部における局所的な摺動やこじりの発生を防止し、摺動損失の増大による圧縮機の効率の低下や、摺動部の摩耗といった信頼性の低下を防止することができる。
【００９３】
また、シリンダ，ピストン，弾性要素の軸心ずれや傾きを防止でき、弾性要素は常に軸心に沿って傾くことなく変形するため、軸心ずれや傾きに起因する弾性要素の過大な変形，過大な応力の発生を低減でき、弾性要素の信頼性が向上する。
【００９４】
尚、本実施例では、ピストン５に曲率部５ａを設けると共に、弾性要素８をブロック６に軸方向に連結しているが、他の可動要素１２に曲率を設けても、また他の固定要素に連結しても同様の効果が得られることは言うまでもない。
【００９５】
【発明の効果】
以上のように、冷媒ガス空間を有する密閉ケーシングと、密閉ケーシング内に収納されたシリンダと、固定子及び可動子とから構成されたモーターと、モーターの可動子などにより構成された可動要素と、シリンダやモーターの固定子などにより構成された固定要素と、一部が可動要素に固定され、一部が固定要素に固定された弾性要素と、可動要素と軸方向に連結され可動要素に対して半径方向に可動可能で且つ回転可能なピストンを備えたものであり、シリンダ，ピストン，弾性要素の軸心がずれて加工・組立されても、ピストンとシリンダの摺動部における局所的な摺動やこじりの発生を防止し、摺動損失の増大による圧縮機の効率低下や、摺動部の摩耗といった信頼性の低下を防止することができる。
【００９６】
また、ピストンが固定された弾性体の半径方向の過大な変形を防止し、弾性体に座屈やねじれによる過大な応力が発生することを防止することにより、弾性体の疲労や破壊といった信頼性の低下を防止することができる。
【００９７】
また、ピストンとシリンダ間の回転方向の相対速度を低減することにより摺動損失を低減し、圧縮機の効率向上させることができる。
【００９８】
また、冷媒ガス空間を有する密閉ケーシングと、密閉ケーシング内に収納され内周部に曲率を有したブロックと、固定子及び可動子とから構成されたモーターと、モーターの可動子が連結されたピストンと、モーターの可動子やピストンなどにより構成された可動要素と、モーターの固定子やブロックなどにより構成された固定要素と、一部が可動要素に固定され、一部が固定要素に固定された弾性要素と、外周部にブロックと同じ又は僅かに大きい曲率を有し、ブロックに嵌められ内周部がピストンと摺動可能な揺動シリンダを備えたものであり、シリンダ，ピストン，弾性要素が傾いて加工・組み立てられたときや、可動要素の一部が潤滑油に浸り往復運動する際に潤滑油から抵抗を受けた時において、ピストンとシリンダの摺動部における局所的な摺動やこじりの発生を防止し、摺動損失の増大による圧縮機の効率低下や、摺動部の摩耗といった信頼性低下を防止することができる。
【００９９】
また、ピストンが固定された弾性体の軸方向に対して傾いて変形することを防止し、弾性体に過大な応力が発生することを防止することにより、弾性体の疲労や破壊といった信頼性低下を防止することができる。
【０１００】
また、冷媒ガス空間を有する密閉ケーシングと、密閉ケーシング内に収納されたシリンダと、固定子及び可動子とから構成されたモーターと、シリンダ内に嵌められモーターの可動子が連結されたピストンと、モーターの可動子やピストンなどにより構成された可動要素と、モーターの固定子やシリンダなどにより構成された固定要素と、一部が可動要素に固定され、一部が半径方向に隙間を有して固定要素と軸方向に連結された弾性要素を備え、隙間により固定要素に対して弾性要素が半径方向に可動可能なものであり、弾性要素が必要以上に回転することを防止でき、弾性要素における過大な回転に伴う過大な変形，過大な応力の発生を防止できるため、弾性要素の信頼性が向上する。
【０１０１】
また、シリンダ，ピストン，弾性要素の軸心がずれて加工・組立されても、ピストンとシリンダの摺動部における局所的な摺動やこじりの発生を防止し、摺動損失の増大による圧縮機の効率低下や、摺動部の摩耗といった信頼性の低下を防止することができる。
【０１０２】
また、冷媒ガス空間を有する密閉ケーシングと、密閉ケーシング内に収納されたシリンダと、固定子及び可動子とから構成されたモーターと、シリンダ内に嵌められたピストンと、モーターの可動子やピストンなどにより構成された可動要素と、モーターの固定子やシリンダなどにより構成された固定要素と、内周部に曲率を有する弾性要素とからなり、弾性要素は弾性要素と同じ又は僅かに大きい曲率を有する可動要素に嵌められ、一部が半径方向に隙間を有して固定要素と軸方向に連結されたものであり、弾性要素が軸方向に変位しつつ内周が回転しても、可動要素や固定要素への回転力の伝達を低減でき、固定要素，本体及び圧縮機の回転振動を低減することができる。さらに、ピストンの回転を低減することによりシリンダとの摺動損失を低減できると共に、摺動部の摩耗といった信頼性の低下を防止することができる。
【０１０３】
また、シリンダ，ピストン，弾性要素の軸心がずれて加工・組立されたり、傾いて加工・組立されたり、運転中においてその軸心がずれたり傾いたりする何らかの力が作用しても、ピストンとシリンダの摺動部における局所的な摺動やこじりの発生を防止し、摺動損失の増大による圧縮機の効率の低下や、摺動部の摩耗といった信頼性の低下を防止することができる。
【０１０４】
また、シリンダ，ピストン，弾性要素の軸心ずれや傾きを防止でき、弾性要素は常に軸心に沿って傾くことなく変形するため、軸心ずれや傾きに起因する弾性要素における過大な変形，過大な応力の発生を低減でき、弾性要素の信頼性が向上する。
【図面の簡単な説明】
【図１】本発明の実施の形態１による振動式圧縮機の縦断面図
【図２】図１の要部拡大図
【図３】本発明の実施の形態２による振動式圧縮機の縦断面図
【図４】図３の要部拡大図
【図５】本発明の実施の形態３による振動式圧縮機の縦断面図
【図６】本発明の実施の形態４による振動式圧縮機の縦断面図
【図７】従来の振動式圧縮機の縦断面図
【図８】図８のＡ−Ａ線要部断面図
【符号の説明】
１ａ  冷媒ガス空間
１  密閉ケーシング
３  モーター
３ａ  固定子
３ｂ  可動子
４  シリンダ
５  ピストン
６  ブロック
８  弾性要素
１２  可動要素
１３  固定要素
１５  ピストン
１６  シリンダ
【図１】
0003992780.tif 000002
【図２】
0003992780.tif 000003
【図３】
0003992780.tif 000004
【図４】
0003992780.tif 000005
【図５】
0003992780.tif 000006
【図６】
0003992780.tif 000007
【図７】
0003992780.tif 000008
【図８】
0003992780.tif 000009